(57)【要約】      （修正有）【課題】チェアコラムアセンブリにおいて、電気エネルギーを容易に発生可能とする。【解決手段】チェアコラムアセンブリは、その一方の端部領域にベース２が配置されるスタンド管１を備える。スタンド管１内には、支持管３が回転可能に支持されている。支持管３は、ベース２とは反対側の端部領域が、シート部を保持すべくスタンド管１から突出する。支持管３には、被動歯車１３が同軸的に固定されている。被動歯車１３は、スタンド管１に固定した発電機１９の主軸に設けた駆動歯車を直接的又は間接的に回転駆動して、交流電圧を発生させる。【選択図】図１
2018110843.tif 000002
【特許請求の範囲】
【請求項１】
回転チェアにおけるチェアコラムアセンブリであって、一方の端部領域にベース（２）が配置されると共に、スタンド管（１）を備え、該スタンド管内には支持管（３）が回転可能に配置され、該支持管（３）は、前記スタンド管（１）に配置されたベース（２）とは反対側の端部領域が、シート部を保持すべく前記スタンド管から突出するチェアコラムアセンブリにおいて、
前記支持管（３）には被動歯車（13）が同軸的に固定され、該被動歯車（13）により、前記スタンド管（１）に固定した発電機（19）の主軸に設けた駆動歯車を直接的又は間接的に回転駆動することにより交流電圧を発生可能であることを特徴とするチェアコラムアセンブリ。
【請求項２】
請求項１に記載のチェアコラムアセンブリであって、前記発電機（19）で発生させた交流電圧が、整流器を介して蓄電池に供給可能であることを特徴とするチェアコラムアセンブリ。
【請求項３】
請求項２に記載のチェアコラムアセンブリであって、前記蓄電池が、リチウムイオン蓄電池（23）又はスーパーキャパシタとして構成されていることを特徴とするチェアコラムアセンブリ。
【請求項４】
請求項２に記載のチェアコラムアセンブリであって、前記整流器が、ブリッジ整流器（21）として構成されていることを特徴とするチェアコラムアセンブリ。
【請求項５】
請求項２〜４の何れか一項に記載のチェアコラムアセンブリであって、前記発電機（19）で発生させた交流電圧が、前記整流器及び降圧コンバータ（22）を介して前記蓄電池に供給可能であることを特徴とするチェアコラムアセンブリ。
【請求項６】
請求項１〜５の何れか一項に記載のチェアコラムアセンブリであって、前記駆動歯車が、歯車機構を介して前記被動歯車（13）により回転駆動可能であることを特徴とするチェアコラムアセンブリ。
【請求項７】
請求項６に記載のチェアコラムアセンブリであって、前記歯車機構が、遊星歯車機構として構成されていることを特徴とするチェアコラムアセンブリ。
【請求項８】
請求項１〜７の何れか一項に記載のチェアコラムアセンブリであって、整流器、蓄電池、並びに必要に応じて降圧コンバータ（22）が、前記スタンド管（１）に固定配置されていることを特徴とするチェアコラムアセンブリ。
【請求項９】
請求項１〜８の何れか一項に記載のチェアコラムアセンブリであって、前記支持管（３）が、前記スタンド管（１）内で同軸的に変位可能であり、前記スタンド管（１）に対して軸線方向に固定された前記被動歯車（13）が、同心的な切り欠き（12）を有することにより、前記支持管（３）の外面上にて変位可能にガイドされることを特徴とするチェアコラムアセンブリ。
【請求項１０】
請求項９に記載のチェアコラムアセンブリであって、前記支持管（３）が、その外周面に１つ以上の長手方向溝（10）を有し、該長手方向溝（10）内に、前記被動歯車（13）のガイドブロック（11）が半径方向内側に向けて係合することを特徴とするチェアコラムアセンブリ。
【請求項１１】
請求項１〜１０の何れか一項に記載のチェアコラムアセンブリであって、前記蓄電池に蓄積された直流電圧が、前記回転チェアにおける電気的作動装置に供給可能であることを特徴とするチェアコラムアセンブリ。
【請求項１２】
請求項１１に記載のチェアコラムアセンブリであって、前記電気的作動装置が、調整装置として構成されていることを特徴とするチェアコラムアセンブリ。
【請求項１３】
請求項１２に記載のチェアコラムアセンブリであって、前記発電機が、前記蓄電池の直流電圧により、モータとして作動可能であることを特徴とするチェアコラムアセンブリ。
【発明の詳細な説明】
【技術分野】
【０００１】
本発明は、回転チェアにおけるチェアコラムアセンブリに関し、特に、一方の端部領域にベースが配置されると共に、スタンド管を備え、該スタンド管内には支持管が回転可能に配置され、該支持管は、前記スタンド管に配置されたベースとは反対側の端部領域が、シート部を保持すべくスタンド管から突出するチェアコラムアセンブリに関する。
【発明の概要】
【発明が解決しようとする課題】
【０００２】
本発明の課題は、このような形式のチェアコラムアセンブリにおいて、電気エネルギーを容易に発生可能とすることである。
【課題を解決するための手段】
【０００３】
この課題を解決するため、本発明に係るチェアコラムアセンブリは、被動歯車が、支持管に同軸的に固定され、該被動歯車により、交流電圧を発生させる前記スタンド管に固定した発電機の主軸に設けた駆動歯車を直接的又は間接的に回転駆動することにより交流電圧を発生させることを特徴とする。
【０００４】
このような構成とすれば、回転チェアの使用に際して常に生じる回転運動が発電機を作動させるために利用され、これにより、電気エネルギーを生成させることができる。
【０００５】
得られた電気エネルギーを蓄積するため、発電機によって生成された交流電圧は、整流器を介して蓄電池に供給することができる。
【０００６】
蓄電池は、好適には、リチウムイオン蓄電池として構成される。リチウムイオン蓄電池は、比エネルギーが大きい点で特徴付けられる。更に、リチウムイオン蓄電池は、熱的に安定しているのみならず、メモリ効果の影響が極めて僅かにしか及ばない。
【０００７】
代替的に、蓄電池は、スーパーキャパシタであってもよい。このようなコンデンサは、大きな出力密度を有するため、充放電が極めて迅速に実施可能であると共に、多数回のスイッチングサイクルに関して適している。
【０００８】
整流器をブリッジ整流器として構成すれば、その出力端子には、発電機の駆動回転方向に関わらず、同一極性の電圧が供給される。これにより、シート部の回転は、その回転方向に関わらず、電圧発生に利用される。
【０００９】
発電機により生成された交流電圧が、整流器及び降圧コンバータを介して蓄電池に供給可能であれば、定電圧電流が蓄電池に供給される。
【００１０】
駆動歯車は、歯車機構を介して被動歯車によって回転駆動可能とすることができる。この場合、歯車機構は、遊星歯車機構として構成するのが好適である。
【００１１】
これにより、被動歯車の回転速度を高めることができる。従って、発電機が発生させる交流電圧を高めることが可能となる。
【００１２】
整流器、蓄電池、並びに必要に応じて降圧コンバータは、スタンド管に固定配置することができる。この場合に蓄電池は、言うまでもなく、固定的な蓄電池又は交換可能な蓄電池で構成することができる。
【００１３】
駆動歯車は、好適には、歯車機構、発電機、整流器、降圧コンバータ、並びに蓄電池と共に、コンパクトなエネルギー生成装置を構成するものであり、シート部下方におけるスタンド管に固定されたハウジング内に配置することができる。
【００１４】
シート部を高さ調整可能とするため、支持管は、スタンド管内に同軸的に変位可能に配置され、スタンド管に対して軸線方向に固定された被動歯車は、同心的な切り欠きを有することにより、支持管の外面上にて変位可能にガイドされる構成とすることができる。
【００１５】
この場合、支持管は、その外周面に１つ以上の長手方向溝を有し、その長手方向溝内に、被動歯車のガイドブロックが半径方向内側に向けて係合する構成とすることができる。
【００１６】
回転チェアが電気的作動装置を有する場合には、蓄電池に蓄積された直流電圧を、その作動装置に供給することができる。従って、作動装置を作動させるために蓄電池を外部充電する必要はない。
【００１７】
この場合、電気的作動装置としては、回転チェアにおいて、モータで調整可能な構成要素を調整するための調整装置を例示することができる。
【００１８】
一実施形態において、発電機は、蓄電池における直流電圧により、モータとして作動させることができる。
【００１９】
これにより、例えば、シート部が負荷や捻じれを生じた後に再び解放される際に、シート部を初期位置又は所定回転位置まで復帰回転させることができる。
【００２０】
この場合、シート部の負荷状況や、初期位置又は所定回転位置をセンサによって検出し、そのセンサによる検出値を制御ユニットに送信することにより、制御ユニットによって発電機をモータとして制御することができる。
【００２１】
その調整を、シート部が解放された直後ではなく、所定の遅延時間後に生じさせる構成とする場合には、調整ユニットに適切な遅延素子を配置することができる。
【００２２】
以下、本発明の実施形態を図面に基づいて詳述する。
【図面の簡単な説明】
【００２３】
【図１】チェアコラムアセンブリの縦断面図である。
【発明を実施するための形態】
【００２４】
図示のチェアコラムアセンブリは、スタンド管１を備え、スタンド管１の下端部にはベース２が配置されている。
【００２５】
スタンド管１内には、ガススプリングにおけるシリンダとして機能する支持管３が同軸的に配置されている。支持管３の下端部では、ピストンロッド４が支持管３から突出する。ピストンロッド４の自由端は、軸受装置５内において支持管軸線15周りで回転可能に支持されている。この場合、軸受装置５は、スタンド管１の下端部を閉鎖する底部プレート６に堅固に配置されている。
【００２６】
スタンド管１の上端領域には、ガイドブッシュ７がスタンド管１と固定結合するように配置されている。この場合、支持管３は、ガイドブッシュ７内において回転方向及び軸線方向に移動可能にガイドされる。
【００２７】
支持管３は、スタンド管１から突出している端部にコーン８を有する。コーン８には、シート部（図示せず）が固定可能である。
【００２８】
支持管３は、長手方向に延在する長手方向溝10がその周方向に分配されたプロファイル管として構成されている。長手方向溝10内には、被動歯車13におけるガイドブロック11が突入する。被動歯車13は、支持管３に取り付けられ、かつ同心的な切り欠き12を有する。この場合、被動歯車13は軸線方向に固定されるため、支持管３の回転に伴い被動車13も回転する。
【００２９】
被動歯車13は、遊星歯車14に係合している。遊星歯車14は、遊星歯車軸17に対して固定的に配置され、支持軸線15に対して平行な遊星歯車軸線16周りで回転可能に支持されている。
【００３０】
遊星歯車軸17は、変速機ハウジング18内に突入する。ハウジング18内には、遊星歯車機構（図示せず）が配置されている。この遊星歯車機構は、遊星歯車軸17によって回転駆動可能であり、遊星歯車機構の回転数を増速させることができる。
【００３１】
遊星歯車機構により発電機19における駆動歯車（図示せず）を駆動すると、発電機19が交流電圧を発生させ、その交流電圧が配線20を介してブリッジ整流器21に供給される。ブリッジ整流器21の出力端子には、発電機19の駆動回転方向に関わらず、同一極性の電圧が供給される。
【００３２】
この交流電圧は、降圧コンバータ22を介して、定電圧電流としてリチウムイオン蓄電池23に供給される。
【００３３】
被動歯車13、遊星歯車14、遊星歯車機構が内蔵された変速機ハウジング18、発電機19、ブリッジ整流器21、並びに降圧コンバータ22は、スタンド管１に結合されたハウジング24によって包囲され、そのハウジング24は、リチウムイオン蓄電池23を収容するためのバルジを有する。ハウジング24は、ねじ９により、スタンド管１に固定されている。バルジ内に収容された交換式リチウムイオン蓄電池23は、プラグイン端子26を介して、降圧コンバータ22に電気接続することができる。
【符号の説明】
【００３４】
１     スタンド管
２     ベース
３     支持管
４     ピストンロッド
５     軸受装置
６     底部プレート
７     ガイドブッシュ 
８     コーン
９     ねじ
10     長手方向溝
11     ガイドブロック
12     切り欠き
13     被動歯車
14     遊星歯車
15     支持管軸線
16     遊星歯車軸線
17     遊星歯車軸
18     変速機ハウジング
19     発電機
20     配線
21     ブリッジ整流器
22     降圧コンバータ
23     リチウムイオン蓄電池
24     ハウジング
25     バルジ
26     プラグイン端子
【図１】
2018110843.tif 000003
【外国語明細書】
2018110843000001.pdf